【手続補正書】
【提出日】平成16年5月28日(2004.5.28)
【手続補正１】
【補正対象書類名】明細書
【補正対象項目名】全文
【補正方法】変更
【補正の内容】
【書類名】      明細書
【発明の名称】  開放押圧部を有する包装用容器
【特許請求の範囲】
【請求項１】  容器本体と、その上方フランジの外縁に外嵌合される蓋体とからなる包装用容器であって、
前記蓋体を、前記容器本体の上方開口全体を覆う蓋部と、この蓋部の外縁に形成されて前記容器本体の上方フランジを覆うことになるフランジ部と、当該蓋体のコーナ部の開放押圧部と、前記開放押圧部の外縁に当該容器本体を係合させる係合部と、この係合部の外側に形成した指掛けとを備えたものとするとともに、
前記蓋体の開放押圧部と係合部との間に立ち上げ部を形成することにより、前記開放押圧部と容器本体側の上方フランジとの間に、前記開放押圧部の第一押下空間を形成して、
前記開放押圧部と指掛けにそれぞれ指を掛けて前記開放押圧部を押し下げたとき、前記係合部と容器本体との係合が外れるようにしたことを特徴とする包装用容器。
【請求項２】  前記上方フランジに一段下がった平坦状または凹所状等の段部を形成することにより第二押下空間を形成したことを特徴とする請求項１に記載の包装用容器。
【請求項３】  容器本体と、その上方フランジの外縁に外嵌合される蓋体とからなる包装用容器であって、
前記蓋体を、前記容器本体の上方開口全体を覆う蓋部と、この蓋部の外縁に形成されて前記容器本体の上方フランジを覆うことになるフランジ部と、当該蓋体のコーナ部の開放押圧部と、前記開放押圧部及びフランジ部の外縁に当該容器本体を係合させる係合部とを備えたものとするとともに、
前記蓋体の開放押圧部と係合部との間に立ち上げ部を形成することにより、前記開放押圧部と容器本体側の上方フランジとの間に、前記開放押圧部の第一押下空間を形成し、前記上方フランジに一段下がった平坦状または凹所状等の段部を形成したことを特徴とする包装用容器。
【請求項４】前記蓋体の開放押圧部と蓋部との境界部分に折曲部を形成したことを特徴とする請求項１〜請求項３のいずれかに記載の包装用容器。
【発明の詳細な説明】
【０００１】
【発明の属する技術分野】
本発明は、容器本体と、これに外嵌合される蓋体とからなる包装用の容器に関し、特に嵌合を簡単に外せるようにした包装用容器に関するものである。
【０００２】
【従来の技術】
例えば、コンビニエンスストアーでは、お菓子、弁当、惣菜等、種々な食品が所謂「パック詰め」されて販売されているが、このパックが、合成樹脂シートを材料として大量生産されている包装用容器である。この包装用容器は、内部の食品等を衛生的に包むために、容器本体とこれに嵌合される蓋体とからなっていることが一般的である。
【０００３】
このような容器本体と蓋体とからなる従来から採用されている包装用容器は、例えば蓋体のフランジ部の外縁の内側に係合凹部を形成しておいて、この係合凹部に容器本体側の上方フランジの外縁を係合させることにより両者の一体化を簡単に行えるようにするとともに、嵌合した後は、蓋体が容器本体から簡単には外れないようにしている。そして、このような容器本体及び蓋体は、合成樹脂シートに対して圧空または真空成形加工を施すことにより、大量生産されているのである。
【０００４】
ところが、以上の従来の包装用容器では、蓋体の容器本体に対する嵌合状態を完全なものとするために、蓋体側の係合凹部を、当該蓋体の全周にわたって形成してあり、確かに嵌合状態は完全ではあるが、蓋体の取り外しが非常に困難となっている。特に、この種の包装用容器は、上述したような合成樹脂シートという薄い材料を使用して形成してあり、また蓋体については、中身の視認ができるように透明なシート材料を使用しているため、互いに嵌合された容器本体と蓋体との境界部分が見つけにくいものとなっている。仮に、境界部分が見つかったとしても、その間に指を入れることは、特に幼児や老人にとっては困難であり、結果的に蓋体の容器本体からの取り外しが困難となっているのである。
【０００５】
そこで、本発明者は、この種の容器本体とこれに嵌合される蓋体とからなる包装用容器について、上述したような取り外しの困難性を解消するにはどうしたらよいか、について種々検討を重ねてきた結果、要するに、部分的であってもよいから、開放のための「きっかけ」を形成すればよいことに気付き、本発明を完成したのである。
【０００６】
【発明が解決しようとする課題】
本発明は、以上のような実状に鑑みてなされたもので、その解決しようとする課題は、従来の包装用容器における蓋体の取り外しの困難性を解消することである。
【０００７】
すなわち、まず、請求項１〜請求項３に係る発明の目的とするところは、蓋体の容器本体に対する嵌合状態を確実に維持することができることは勿論、その嵌合状態を、それ程の力を要することなく簡単に解除することのできる包装用容器を、簡単な構成によって提供することにある。
【０００８】
また、請求項４に係る発明の目的とするところは、上記請求項１〜請求項３の発明の目的を達成することができる他、蓋体の開放を、より簡単に行うことのできる包装用容器を提供することにある。
【０００９】
【課題を解決するための手段】
以上の課題を解決するために、まず請求項１に係る発明の採った手段は、後述する実施の形態の説明中で使用する符号を付して説明すると、
「容器本体１０と、その上方フランジ１１の外縁に外嵌合される蓋体２０とからなる包装用容器１００であって、
蓋体２０を、容器本体１０の上方開口全体を覆う蓋部２１と、この蓋部２１の外縁に形成されて容器本体１０の上方フランジ１１を覆うことになるフランジ部２２と、当該蓋体２０のコーナ部の開放押圧部２３と、開放押圧部２３の外縁に容器本体１０を係合させる係合部２５と、この係合部２５の外側に形成した指掛け２７とを備えたものとするとともに、
蓋体２０の開放押圧部２３と係合部２５との間に立ち上げ部２６を形成することにより、開放押圧部２３と容器本体１０側の上方フランジ１１との間に、開放押圧部２３の第一押下空間３１を形成して、
開放押圧部２３と指掛け２７にそれぞれ指を掛けて開放押圧部２３を押し下げたとき、係合部２５と容器本体１０との係合が外れるようにしたことを特徴とする包装用容器１００」
であり、請求項２に係る発明の採った手段は、上記請求項１の包装用容器１００について、
「上方フランジ１１に一段下がった平坦状または凹所状等の段部１２を形成することにより第二押下空間３２を形成したこと」
であり、請求項３に係る発明の採った手段は、
「容器本体１０と、その上方フランジ１１の外縁に外嵌合される蓋体２０とからなる包装用容器１００であって、
蓋体２０を、容器本体１０の上方開口全体を覆う蓋部２１と、この蓋部２１の外縁に形成されて容器本体１０の上方フランジ１１を覆うことになるフランジ部２２と、当該蓋体２０のコーナ部の開放押圧部２３と、開放押圧部２３及びフランジ部２２の外縁に容器本体１０を係合させる係合部２５とを備えたものとするとともに、
蓋体２０の開放押圧部２３と係合部２５との間に立ち上げ部２６を形成することにより、開放押圧部２３と容器本体１０側の上方フランジ１１との間に、開放押圧部２３の第一押下空間３１を形成し、上方フランジ１１に一段下がった平坦状または凹所状等の段部１２を形成したことを特徴とする包装用容器１００」
である。
【００１０】
すなわち、この包装用容器１００は、容器本体１０と、その上方フランジ１１の外縁に外嵌合される蓋体２０とからなるものであるが、特にその蓋体２０のコーナ部に、指を掛けて押圧することのできる開放押圧部２３とを形成したものであり、この開放押圧部２３を押圧することにより、容器本体１０に嵌合されている蓋体２０の取り外しを簡単に行えるようにしたものである。なお、請求項１及び請求項２の包装用容器１００では、係合部２５の外側になる部分に指掛け２７を形成しておき、この指掛け２７と開放押圧部２３にそれぞれ指を掛けて、この開放押圧部２３を押圧するようにしているが、請求項３の包装用容器１００では、この指掛け２７は必須ではなく、その代わりに、上方フランジ１１に一段下がった平坦状または凹所状等の段部１２を形成しておいて、開放押圧部２３の押圧をし易くしたものである。
【００１１】
容器本体１０は、その上方が開口された一般的な形状を有したものであり、この上方開口の周囲全体には、図２〜図４に示したように、上方フランジ１１が形成してある。特に、請求項３の包装用容器１００では、この上方フランジ１１に、図６に示したように、第二押下空間３２を形成するための、一段下がった平坦状、または凹所状等の段部１２が形成してある。
【００１２】
各開放押圧部２３及び指掛け２７は、図１〜図４に示すように、平面四角形状の蓋体２０についてその各コーナ部に形成したものであるが、一つのコーナ部にだけ形成して実施してもよいものである。また、各開放押圧部２３は、図５に示すように指が十分掛けられるような大きさのものとしてあり、図６に示すように、平面的なものとしてある。
【００１３】
また、これらの開放押圧部２３と指掛け２７にそれぞれ指を掛けて、開放押圧部２３を押圧したとき、蓋体２０側の係合部２５が容器本体１０の上方フランジ１１から容易に外れるものである。この開放押圧部２３を押圧することにより、開放押圧部２３の外周部が折れ曲がり、容器本体１０側の上方フランジ１１の外縁と、蓋体２０側の係合部２５が開放されるものであり、その開放を簡単に行えるようにしたものである。
【００１４】
すなわち、後述する実施形態の包装用容器１００では、特に図６の（イ）に示したように、開放押圧部２３の押圧操作を確実に行えるようにするために、これと容器本体１０側の上方フランジ１１との間に、開放押圧部２３の第一押下空間３１を形成するとともに、係合部２５の外側になる部分に指掛け２７を形成したものであるが、そのために、蓋体２０の開放押圧部２３と係合部２５との間に立ち上げ部２６を形成したものである。
【００１５】
換言すれば、この包装用容器１００では、図６に示したように、蓋体２０側の立ち上げ部２６によって第一押下空間３１が形成してあるのであり、この空間の存在によって開放押圧部２３の動き得る十分な空間を備えたものである。この十分な空間の存在によって、開放押圧部２３の開放操作をより一層効果的かつ簡単に行えるようにしているのである。
【００１６】
これにより、蓋体２０の開放のために押圧された開放押圧部２３は、この押下空間３１内に大きく沈み込むから、蓋体２０の係合部が持ち上がり、結果としてこの蓋体２０の開放操作をより一層簡単に行えるのである。
【００１７】
折曲部２４は、開放押圧部２３を押圧することにより大きな負荷が掛かり開放押圧部２３の外端を指が入れられる程度に大きく開放させるものである。
【００１８】
従って、本発明に係る包装用容器１００では、その容器本体１０及び蓋体２０合成樹脂シートという薄い材料を使用して形成したものであっても、開放押圧部２３を押圧して、容器本体１０側の上方フランジ１１の外縁と、蓋体２０側の係合部２５との係合を解いたとき、開放押圧部２３の外端を指が掛けられる程度に開放させることができるから、互いに嵌合された容器本体１０と蓋体２０との境界部分を簡単に見つけることができるものとなっている。このため、幼児や老人であっても、指を掛けることを簡単に行えるのであり、結果的に蓋体２０の容器本体１０からの取り外しを非常に簡単に行えるのである。
【００１９】
上記課題を解決するために、請求項４に係る発明の採った手段は、上記請求項１〜請求項３の包装用容器１００について、
「蓋体２０の開放押圧部２３と蓋部２１との境界部分に折曲部２４を形成したこと」
である。
【００２０】
すなわち、この請求項４の包装用容器１００では、請求項１〜請求項３に係る包装用容器１００と同様に、開放押圧部２３の押圧操作を確実に行えるようにしたものであるが、折曲部２４を形成すれば、蓋部２１が、図６の（イ）中の実線にて示したような立ち上がり部２１ａを有したものであっても、また、図６の（イ）中の仮想線にて示したような平坦なものであっても、開放のための開放押圧部２３の折曲を簡単に行えるものである。勿論、この折曲部２４は、図６に示した断面が、鋭角的に折れ曲がったものであっても、また曲面的に折れ曲がったものであってもよいものである。
【００２１】
【発明の実施の形態】
次に、以上のように構成した各発明について、図面に示した実施の形態に基づいて説明するが、この実施形態に係る包装用容器１００は、上記各発明を実質的に含むものであるから、以下では、この実施形態の包装用容器１００を中心にした説明を行っていくこととする。
【００２２】
図１には、本発明に係る包装用容器１００の平面図が示してあるが、この包装用容器１００は、図２及び図４に示したように、食品等が収納される容器本体１０と、その上方フランジ１１の外縁に外嵌合される蓋体２０とからなるものであり、これらの容器本体１０及び蓋体２０は、合成樹脂シートから型成形されるものである。なお、本実施形態の蓋体２０は、容器本体１０内に入れた食品等を外から容易に視認できるようにするために、透明または半透明の合成樹脂シートを使用して形成したものである。
【００２３】
容器本体１０は、その上方が開口された一般的な形状を有したものであり、この上方開口の周囲全体には、図２〜図４に示したように、上方フランジ１１が形成してある。この上方フランジ１１は、その上面が平坦なものとして形成されることもあるが、図６に示したように、第二押下空間３２を形成するための、一段下がった平坦状、または凹所状等の段部１２が形成されるものである。
【００２４】
蓋体２０は、図１及び図４に示したように、容器本体１０の上方開口を覆う蓋部２１を有しているものであることは当然であるが、この蓋体２０は、図６の（イ）の実線にて示したように、立ち上がり部２１ａを介して容器本体１０の上方フランジ１１よりも大きく上方に位置するものとして形成されることも、また、図６の（イ）の仮想線にて示したように、容器本体１０の上方フランジ１１と略同一位置となるような平坦状のものとして形成されることもあるものである。
【００２５】
以上のような蓋部２１の周囲には、図１に示したように、フランジ部２２が一体的に形成してあり、その内の包装用容器１００のコーナ部に対応する部分を開放押圧部２３としてある。各開放押圧部２３は、図３にも示したように、蓋体２０を容器本体１０に嵌合させた当該包装用容器１００の突出部分に位置するものであり、図５にも示したように、包装用容器１００を手に持ったときに、その上面を親指で押圧し易いものとしてある。
【００２６】
各開放押圧部２３は、容器本体１０に外嵌合されている蓋体２０を開放する場合の「きっかけ」となるのであり、図５に示したように、親指で押圧したとき、その外端が開放される。
【００２７】
この開放押圧部２３の押圧時における開放を確実にするために、蓋部２１と各開放押圧部２３との境界部分には、図１、図５及び図６に示したように、折曲部２４が形成してある。この折曲部２４は、蓋部２１、またはこれに連続する立ち上がり部２１ａ側の変形をきたさない、つまり大きな力を要することなく、開放押圧部２３の開放が行えるようにするためのものであり、図６に示した断面が、鋭角的に折れ曲がったものであっても、また曲面的に折れ曲がったものであってもよいものである。
【００２８】
勿論、この蓋体２０は、容器本体１０の上方フランジ１１の外縁に外嵌合されて、係合されるものであるから、そのフランジ部２２の周縁には係合部２５が形成してある。この係合部２５は、図６に示したように、上記各開放押圧部２３の外周にも形成してあって、結果的に、蓋体２０の外周全体に形成したものであり、当該蓋体２０の容器本体１０に対して嵌合される。
【００２９】
本実施形態の蓋体２０においては、特に、図６に示したように、上記係合部２５と蓋部２１との間に立ち上げ部２６を積極的に形成したものであり、これにより、係合部２５にて容器本体１０側に係合されたときの蓋体２０の開放押圧部２３と、容器本体１０側の上方フランジ１１との間に、第一押下空間３１を形成するようにしたものである。この第一押下空間３１は、各開放押圧部２３の開放操作を行い易くするものであり、このようにしたのが請求項４に係る包装用容器１００となるのである。
【００３０】
すなわち、請求項３に係る包装用容器１００では、図６に示したように、蓋体２０側の立ち上げ部２６による第一押下空間３１と、容器本体１０側の段部１２による第二押下空間３２との両方を備えたものであり、開放押圧部２３の開放操作をより一層効果的かつ簡単に行えるようにしているものである。また、請求項１及び請求項２に係る包装用容器１００の開放押圧部２３では、図１及び図６に示したように、これに形成してある係合部２５のさらに外側に指掛け２７を一体的に形成したものであり、この指掛け２７によって開放押圧部２３の開放をより行い易くしているものである。
【００３１】
【発明の効果】
以上、詳述した通り、まず請求項１及び請求項２に係る発明においては、上記実施形態にて例示した如く、
「容器本体１０と、その上方フランジ１１の外縁に外嵌合される蓋体２０とからなる包装用容器１００であって、
蓋体２０を、容器本体１０の上方開口全体を覆う蓋部２１と、この蓋部２１の外縁に形成されて容器本体１０の上方フランジ１１を覆うことになるフランジ部２２と、当該蓋体２０のコーナ部の開放押圧部２３と、開放押圧部２３の外縁に容器本体１０を係合させる係合部２５と、この係合部２５の外側に形成した指掛け２７とを備えたものとするとともに、
蓋体２０の開放押圧部２３と係合部２５との間に立ち上げ部２６を形成することにより、開放押圧部２３と容器本体１０側の上方フランジ１１との間に、開放押圧部２３の第一押下空間３１を形成して、
開放押圧部２３と指掛け２７にそれぞれ指を掛けて開放押圧部２３を押し下げたとき、係合部２５と容器本体１０との係合が外れるようにしたこと」
及び、
「上方フランジ１１に一段下がった平坦状または凹所状等の段部１２を形成することにより第二押下空間３２を形成したこと」
にその構成上の特徴があり、また、請求項３に係る発明においては、
「容器本体１０と、その上方フランジ１１の外縁に外嵌合される蓋体２０とからなる包装用容器１００であって、
蓋体２０を、容器本体１０の上方開口全体を覆う蓋部２１と、この蓋部２１の外縁に形成されて容器本体１０の上方フランジ１１を覆うことになるフランジ部２２と、当該蓋体２０のコーナ部の開放押圧部２３と、開放押圧部２３及びフランジ部２２の外縁に容器本体１０を係合させる係合部２５とを備えたものとするとともに、
蓋体２０の開放押圧部２３と係合部２５との間に立ち上げ部２６を形成することにより、開放押圧部２３と容器本体１０側の上方フランジ１１との間に、開放押圧部２３の第一押下空間３１を形成し、上方フランジ１１に一段下がった平坦状または凹所状等の段部１２を形成したこと」
にその構成上の特徴があり、これにより、蓋体２０の容器本体１０に対する嵌合状態を確実に維持することができることは勿論、その嵌合状態を簡単に解除することのできる包装用容器１００を、簡単な構成によって提供することができるのである。
【００３２】
また、請求項４に係る発明においては、上記請求項１に係る包装用容器１００について、
「蓋体２０の開放押圧部２３と蓋部２１との境界部分に折曲部２４を形成したこと」
これにより、上記請求項１の発明と同様な効果を発揮することができる他、蓋体２０の開放を、より簡単に行うことのできる包装用容器１００を提供することができるのである。
【００３３】
なお、当該蓋体２０は、従来からある包装用容器に対しても、本体容器の形状を変えることなく、蓋のみを本発明の形状に変更することによって嵌合状態を確実に維持することができ、嵌合状態を簡単に解除することができる。
【図面の簡単な説明】
【図１】本発明に係る包装用容器の平面図である。
【図２】同包装用容器を拡大して示した分解正面図である。
【図３】同包装用容器の左側面図（イ）と、右側面図（ロ）である。
【図４】図１中の１−１線に沿ってみた拡大縦断面図である。
【図５】図１中の２−２線部の部分拡大平面図である。
【図６】本発明に係る包装用容器の開放押圧部における作用を説明するための図であり、（イ）は図５中の３−３線部における部分縦断面図、（ロ）は開放押圧部を開放したときの部分縦断面図である。
【符号の説明】
１００  包装用容器
１０  容器本体
１１  上方フランジ
１２  段部
２０  蓋体
２１  蓋部
２１ａ  立ち上がり部
２２  フランジ部
２３  開放押圧部
２４  折曲部
２５  係合部
２６  立ち上げ部
２７  指掛け
３１  第一押下空間
３２  第二押下空間